(57)【要約】【課題】負荷機器に対して適切な直流電力を供給可能とする。【解決手段】制御部１４は、負荷機器情報取得部１２で取得する負荷機器情報に基づいて当該負荷機器３への給電可否を判定し、給電可と判定したときに開閉部１１を閉成し、給電不可と判定したときには開閉部１１を開成状態に維持する。故に、負荷機器３のプラグ３０が差込接続部１０に接続されただけでは負荷機器３に給電されず、負荷機器情報取得部１２で取得する負荷機器情報に基づいて当該負荷機器３への給電可と判定されたときにのみ、制御部１４が開閉部１１を閉成して給電するので、負荷機器３に対して適切な直流電力を供給することが可能となる。【選択図】        図１
2011114913.tif 000002
【特許請求の範囲】
【請求項１】
負荷機器が有するプラグが挿抜自在に差込接続される差込接続部と、配電路と差込接続部との接続を開閉する開閉部と、差込接続部にプラグが差込接続されている負荷機器から当該負荷機器に関する情報を取得する負荷機器情報取得部と、負荷機器情報取得部で取得する負荷機器情報に基づいて当該負荷機器への給電可否を判定し、給電可と判定したときに開閉部を閉成して配電路と差込接続部を接続するとともに、給電不可と判定したときに開閉部を開成状態に維持する制御部とを備えたことを特徴とする直流コンセント装置。
【請求項２】
配電路を通して供給される直流電力に関する情報を取得する直流電力情報取得部を備え、制御部は、負荷機器情報取得部で取得する負荷機器情報と直流電力情報取得部で取得する直流電力情報の双方に基づいて当該負荷機器への給電可否を判定することを特徴とする請求項１記載の直流コンセント装置。
【請求項３】
負荷機器情報取得部は、前記負荷機器情報として当該負荷機器の定格電圧の情報を取得することを特徴とする請求項１又は２記載の直流コンセント装置。
【請求項４】
配電路を通して供給される直流電力の許容電圧範囲の情報を取得する直流電力情報取得部を備え、制御部は、負荷機器情報取得部で取得する負荷機器の定格電圧が直流電力情報取得部で取得する許容電圧範囲内であるときに当該負荷機器への給電可と判定することを特徴とする請求項３記載の直流コンセント装置。
【請求項５】
負荷機器情報取得部は、前記負荷機器情報として当該負荷機器の定格消費電流の情報を取得することを特徴とする請求項１又は２記載の直流コンセント装置。
【請求項６】
配電路を通して供給可能な最大電流値の情報を取得する直流電力情報取得部を備え、制御部は、負荷機器情報取得部で取得する負荷機器の定格消費電流が直流電力情報取得部で取得する最大電流値を超えないときに当該負荷機器への給電可と判定することを特徴とする請求項５記載の直流コンセント装置。
【請求項７】
数字の表示が可能である表示部を備え、制御部は、最大電流値と定格消費電流値との差を表示部に表示させることを特徴とする請求項６記載の直流コンセント装置。
【請求項８】
制御部は、直流電力情報取得部で取得する最大電流値が増加して定格消費電流を超えれば負荷機器への給電可と判定することを特徴とする請求項７記載の直流コンセント装置。
【請求項９】
しきい値を設定するしきい値設定部を備え、制御部は、配電路を通して供給される直流電力の電圧値が前記しきい値を下回ったときに開閉部を開成することを特徴とする請求項１〜８の何れか１項に記載の直流コンセント装置。
【請求項１０】
直流電力を供給する給電装置と、建物内に設置されて配電路を通して給電装置から直流電力が配電される１乃至複数の直流コンセント装置とを有する直流配電システムにおいて、
直流コンセント装置は、負荷機器が有するプラグが挿抜自在に差込接続される差込接続部と、配電路と差込接続部との接続を開閉する開閉部と、差込接続部にプラグが差込接続されている負荷機器から当該負荷機器の定格電圧の情報を取得する負荷機器情報取得部と、配電路を通して前記定格電圧情報を給電装置へ伝送する伝送部と、給電装置が供給する直流電力の電圧値の情報を取得する直流電力情報取得部と、負荷機器情報取得部で取得する負荷機器の定格電圧が直流電力情報取得部で取得する電圧値と一致したときに開閉部を閉成して配電路と差込接続部を接続するとともに、定格電圧と電圧値が一致しなかったときに開閉部を開成状態に維持する制御部とを備え、
給電装置は、配電路を通して直流コンセント装置から伝送される定格電圧情報に基づき、当該配電路を通して供給する直流電力の電圧値を前記定格電圧に一致させることを特徴とする直流配電システム。
【請求項１１】
直流電力を供給する給電装置と、建物内に設置されて配電路を通して給電装置から直流電力が配電される複数の直流コンセント装置とを有する直流配電システムにおいて、
直流コンセント装置は、負荷機器が有するプラグが挿抜自在に差込接続される差込接続部と、配電路と差込接続部との接続を開閉する開閉部と、差込接続部にプラグが差込接続されている負荷機器から当該負荷機器に関する情報を取得する負荷機器情報取得部と、負荷機器情報取得部で取得する負荷機器情報に基づいて当該負荷機器への給電可否を判定し、給電可と判定したときに開閉部を閉成して配電路と差込接続部を接続するとともに、給電不可と判定したときに開閉部を開成状態に維持する制御部と、優先順位が設定される優先順位設定部とを備え、
給電装置は、需要電力が供給電力を超えた場合に優先順位の低い直流コンセント装置に対して負荷機器への給電停止を指示する制御信号を配電路を通して伝送し、
直流コンセント装置の制御部は、優先順位設定部に設定されている優先順位が制御信号で給電停止が指示されている優先順位以下であるときに開閉部を開成することを特徴とする直流配電システム。
【発明の詳細な説明】
【技術分野】
【０００１】
本発明は、建物内に直流電力を配電するための直流コンセント装置並びに直流配電システムに関するものである。
【背景技術】
【０００２】
従来、建物内に電力を配電する配電システムとしては、電力系統から供給される交流電力を電力線を通してコンセントへ配電する交流配電システムが主流であったが、近年、太陽電池や燃料電池などで発電された直流電力を電力線を通してコンセント（直流コンセント）へ配電する直流配電システムが普及しつつある（例えば、特許文献１参照）。
【０００３】
一方、直流電力が供給される負荷機器（直流機器）では、その種類毎に４８ボルト、２４ボルト、１２ボルトといったように定格電圧が異なっており、例えば、４８ボルトの直流電圧が配電されている直流コンセントに定格電圧が２４ボルトである負荷機器が誤接続されることを防止するため、負荷機器側のプラグと直流コンセントの差込口がそれぞれの電圧レベル毎に異なった形状に形成されている。
【先行技術文献】
【特許文献】
【０００４】
【特許文献１】特開２００２−１０１５５２号公報
【発明の概要】
【発明が解決しようとする課題】
【０００５】
しかしながら、上述のように負荷機器側のプラグと直流コンセントの差込口を電圧レベル毎に異なった形状にしたとしても、例えば、施工ミスによって４８ボルト用の直流コンセントに誤って２４ボルトの直流電力が配電されている場合には誤接続を防ぐことができない。また、直流コンセントを介して供給可能な電流値よりも負荷機器の定格消費電流が大きい場合、例え直流コンセントと負荷機器が正しい組み合わせで接続されているとしても、当該直流コンセントから供給可能な電流値を超える電流が流れてしまう虞がある。
【０００６】
本発明は上記事情に鑑みて為されたものであり、その目的は、負荷機器に対して適切な直流電力を供給することができる直流コンセント装置並びに直流配電システムを提供することにある。
【課題を解決するための手段】
【０００７】
請求項１の発明は、上記目的を達成するために、負荷機器が有するプラグが挿抜自在に差込接続される差込接続部と、配電路と差込接続部との接続を開閉する開閉部と、差込接続部にプラグが差込接続されている負荷機器から当該負荷機器に関する情報を取得する負荷機器情報取得部と、負荷機器情報取得部で取得する負荷機器情報に基づいて当該負荷機器への給電可否を判定し、給電可と判定したときに開閉部を閉成して配電路と差込接続部を接続するとともに、給電不可と判定したときに開閉部を開成状態に維持する制御部とを備えたことを特徴とする。
【０００８】
請求項１の発明によれば、負荷機器のプラグが差込接続部に接続されただけでは負荷機器に給電されず、負荷機器情報取得部で取得する負荷機器情報に基づいて当該負荷機器への給電可と判定されたときにのみ開閉部を閉成して給電するので、負荷機器に対して適切な直流電力を供給することが可能な直流コンセント装置が提供できる。
【０００９】
請求項２の発明は、請求項１の発明において、配電路を通して供給される直流電力に関する情報を取得する直流電力情報取得部を備え、制御部は、負荷機器情報取得部で取得する負荷機器情報と直流電力情報取得部で取得する直流電力情報の双方に基づいて当該負荷機器への給電可否を判定することを特徴とする。
【００１０】
請求項２の発明によれば、負荷機器の情報と直流電力情報の双方に基づいて当該負荷機器への給電可否を判定することにより、負荷機器に対してより適切な直流電力を供給することができる。
【００１１】
請求項３の発明は、請求項１又は２の発明において、負荷機器情報取得部は、前記負荷機器情報として当該負荷機器の定格電圧の情報を取得することを特徴とする。
【００１２】
請求項３の発明によれば、負荷機器に対して定格電圧と異なる電圧の直流電力が誤って供給されることが防止できる。
【００１３】
請求項４の発明は、請求項３の発明において、配電路を通して供給される直流電力の許容電圧範囲の情報を取得する直流電力情報取得部を備え、制御部は、負荷機器情報取得部で取得する負荷機器の定格電圧が直流電力情報取得部で取得する許容電圧範囲内であるときに当該負荷機器への給電可と判定することを特徴とする。
【００１４】
請求項４の発明によれば、負荷機器に対して定格電圧と異なる電圧の直流電力が誤って供給されることが防止できる。
【００１５】
請求項５の発明は、請求項１又は２の発明において、負荷機器情報取得部は、前記負荷機器情報として当該負荷機器の定格消費電流の情報を取得することを特徴とする。
【００１６】
請求項５の発明によれば、負荷機器に対して供給能力を超える電流が供給されることを防止できる。
【００１７】
請求項６の発明は、請求項５の発明において、配電路を通して供給可能な最大電流値の情報を取得する直流電力情報取得部を備え、制御部は、負荷機器情報取得部で取得する負荷機器の定格消費電流が直流電力情報取得部で取得する最大電流値を超えないときに当該負荷機器への給電可と判定することを特徴とする。
【００１８】
請求項６の発明によれば、負荷機器に対して供給可能な最大電流値を超える電流が供給されることを防止できる。
【００１９】
請求項７の発明は、請求項６の発明において、数字の表示が可能である表示部を備え、制御部は、最大電流値と定格消費電流値との差を表示部に表示させることを特徴とする。
【００２０】
請求項７の発明によれば、表示部に表示される数値によって電力供給の状況を把握することができる。
【００２１】
請求項８の発明は、請求項７の発明において、制御部は、直流電力情報取得部で取得する最大電流値が増加して定格消費電流を超えれば負荷機器への給電可と判定することを特徴とする。
【００２２】
請求項８の発明によれば、最大電流値が定格消費電流を下回っていたために負荷機器への給電が行われなかった場合であっても、例えば、給電能力を増強することで最大電流値が増加して定格消費電流を超えれば、負荷機器への給電が可能となる。
【００２３】
請求項９の発明は、請求項１〜８の何れか１項の発明において、しきい値を設定するしきい値設定部を備え、制御部は、配電路を通して供給される直流電力の電圧値が前記しきい値を下回ったときに開閉部を開成することを特徴とする。
【００２４】
請求項９の発明によれば、配電路を通して供給される直流電力の電圧値が何らかの原因で低下してしきい値を下回ると開閉部が開成して負荷機器への給電が停止するため、不要な電力消費を抑制することができる。
【００２５】
請求項１０の発明は、上記目的を達成するために、直流電力を供給する給電装置と、建物内に設置されて配電路を通して給電装置から直流電力が配電される１乃至複数の直流コンセント装置とを有する直流配電システムにおいて、直流コンセント装置は、負荷機器が有するプラグが挿抜自在に差込接続される差込接続部と、配電路と差込接続部との接続を開閉する開閉部と、差込接続部にプラグが差込接続されている負荷機器から当該負荷機器の定格電圧の情報を取得する負荷機器情報取得部と、配電路を通して前記定格電圧情報を給電装置へ伝送する伝送部と、給電装置が供給する直流電力の電圧値の情報を取得する直流電力情報取得部と、負荷機器情報取得部で取得する負荷機器の定格電圧が直流電力情報取得部で取得する電圧値と一致したときに開閉部を閉成して配電路と差込接続部を接続するとともに、定格電圧と電圧値が一致しなかったときに開閉部を開成状態に維持する制御部とを備え、給電装置は、配電路を通して直流コンセント装置から伝送される定格電圧情報に基づき、当該配電路を通して供給する直流電力の電圧値を前記定格電圧に一致させることを特徴とする。
【００２６】
請求項１０の発明によれば、負荷機器に対して適切な直流電力を供給することが可能な直流配電システムが提供できる。
【００２７】
請求項１１の発明は、上記目的を達成するために、直流電力を供給する給電装置と、建物内に設置されて配電路を通して給電装置から直流電力が配電される複数の直流コンセント装置とを有する直流配電システムにおいて、直流コンセント装置は、負荷機器が有するプラグが挿抜自在に差込接続される差込接続部と、配電路と差込接続部との接続を開閉する開閉部と、差込接続部にプラグが差込接続されている負荷機器から当該負荷機器に関する情報を取得する負荷機器情報取得部と、負荷機器情報取得部で取得する負荷機器情報に基づいて当該負荷機器への給電可否を判定し、給電可と判定したときに開閉部を閉成して配電路と差込接続部を接続するとともに、給電不可と判定したときに開閉部を開成状態に維持する制御部と、優先順位が設定される優先順位設定部とを備え、給電装置は、需要電力が供給電力を超えた場合に優先順位の低い直流コンセント装置に対して負荷機器への給電停止を指示する制御信号を配電路を通して伝送し、直流コンセント装置の制御部は、優先順位設定部に設定されている優先順位が制御信号で給電停止が指示されている優先順位以下であるときに開閉部を開成することを特徴とする。
【００２８】
請求項１１の発明によれば、需要電力が給電装置の供給電力を超えた場合に複数の直流コンセント装置の中から優先順位の低いものの開閉部を開成させて負荷機器への給電を停止させるので、負荷機器に対して適切な直流電力を供給することが可能な直流配電システムが提供できる。
【発明の効果】
【００２９】
本発明によれば、負荷機器に対して適切な直流電力を供給することが可能な直流コンセント装置並びに直流配電システムが提供できる。
【図面の簡単な説明】
【００３０】
【図１】実施形態１を示し、（ａ）はシステム構成図、（ｂ）は直流コンセント装置のブロック図である。
【図２】実施形態２を示し、直流コンセント装置のブロック図である。
【図３】実施形態３を示し、直流コンセント装置のブロック図である。
【図４】実施形態４を示し、直流配電システムのシステム構成図である。
【図５】実施形態５を示し、直流配電システムのシステム構成図である。
【発明を実施するための形態】
【００３１】
（実施形態１）
図１（ｂ）に本発明に係る直流コンセント装置の実施形態１のブロック図を示し、同図（ａ）には本実施形態の直流コンセント装置１を含む直流配電システムのシステム構成図を示す。
【００３２】
本実施形態における直流配電システムは、図１（ａ）に示すように直流電力を供給する給電装置２と、建物内に設置されて配電路（給電線）Ｌｐを通して給電装置２から直流電力が配電される１乃至複数（図示例では３つ）の直流コンセント装置１とを有する。
【００３３】
給電装置２は、例えば、電力系統から供給される交流電力をＡＣ／ＤＣコンバータで変換した直流電力、あるいは、太陽電池や燃料電池などの自家発電設備で発電される直流電力を給電線Ｌｐを通して各直流コンセント装置１に給電するものである。
【００３４】
直流コンセント装置１は、図１（ｂ）に示すように負荷機器３が有するプラグ３０が挿抜自在に差込接続される差込接続部１０と、常開型のラッチングリレーからなり、給電線Ｌｐと差込接続部１０との接続を開閉する開閉部１１と、差込接続部１０にプラグ３が差込接続されている負荷機器３から当該負荷機器３に関する情報を取得する負荷機器情報取得部１２と、給電線Ｌｐを通して供給される直流電力に関する情報を取得する直流電力情報取得部１３と、負荷機器情報取得部１２で取得する負荷機器情報や直流電力情報取得部１３で取得する直流電力情報に基づいて当該負荷機器３への給電可否を判定し、給電可と判定したときに開閉部１１を閉成して給電線Ｌｐと差込接続部１０を接続するとともに、給電不可と判定したときに開閉部１１を開成状態に維持する制御部１４とを備えている。
【００３５】
負荷機器情報取得部１２は、差込接続部１０にプラグ３０が差込接続されたときに負荷機器３から負荷機器情報として定格電圧値の情報を取得するものである。ここで、負荷機器３においては数種類の定格電圧（４８ボルト，２４ボルト，１２ボルトなど）のうちで自己の定格電圧に対応した抵抗値を有する抵抗（図示せず）がプラグ３０と接続されており、負荷機器情報取得部１２では、差込接続部１０を介してプラグ３０に微少な電流を流したときの電圧降下によって当該負荷機器３の定格電圧値（負荷機器情報）を取得している。但し、負荷機器情報取得部１２が負荷機器３から負荷機器情報を取得する方法はこれに限定されるものではない。例えば、差込接続部１０にプラグ３０が差込接続されたときに最低限の電力供給を行って負荷機器３の通信機能のみを起動し、負荷機器情報取得部１２の通信機能と負荷機器３の通信機能とを利用して負荷機器情報を取得するようにしても構わない。
【００３６】
一方、直流電力情報取得部１３は、給電線Ｌｐに印加されている直流電圧を計測することによって直流電力情報（直流電圧）を取得している。但し、直流電力情報取得部１３が直流電力情報（給電線Ｌｐに印加されている直流電圧）を取得する方法はこれに限定されるものではなく、例えば、給電装置２との間で給電線Ｌｐを介したデータ通信を行うことで給電装置２から直流電力情報を取得しても構わない。
【００３７】
制御部１４はマイクロコンピュータを主構成要素とし、負荷機器３への給電可否の判定処理や開閉部１１の開閉制御処理などを実行するものである。
【００３８】
上述のように構成される直流コンセント装置１の差込接続部１０に負荷機器３のプラグを差込接続した場合、直流コンセント装置１は以下のように動作する。まず、差込接続部１０にプラグ３０が接続された負荷機器３の負荷機器情報（定格電圧値）を負荷機器情報取得部１２で取得し、取得した負荷機器情報を制御部１４に渡す。制御部１４は、負荷機器情報取得部１２で取得した負荷機器情報（定格電圧値）が、直流電力情報取得部１３で取得した直流電力情報（直流電圧）から決まる許容電圧範囲内に収まるか否かの判定処理を実行する。ここで許容電圧範囲とは、例えば、直流電力情報取得部１３で取得した直流電圧に対して±数％の範囲である。
【００３９】
制御部１４は、定格電圧値が許容電圧範囲内に収まると判定すれば、開閉部１１を閉成させて給電路Ｌｐと差込接続部１０を接続して負荷機器３に直流電力を供給する（給電する）。しかしながら、定格電圧値が許容電圧範囲内に収まらないと判定すれば、制御部１４は開閉部１１を閉成状態のまま維持して負荷機器３へ直流電力を供給しない（給電しない）。したがって、給電装置２から供給されている直流電力の電圧値よりも定格電圧が高い、あるいは低い負荷機器３が直流コンセント装置１に誤接続された場合においても、誤接続された当該負荷機器３に対して定格電圧よりも高い又は低い直流電圧が印加されることがく、負荷機器に対して適切な直流電力を供給することが可能となる。
【００４０】
尚、本実施形態の直流コンセント装置１の制御部１４では、負荷機器情報取得部１２で取得した負荷機器情報（定格電圧値）と直流電力情報取得部１３で取得した直流電力情報（直流電圧）の双方に基づいて負荷機器３への給電可否を判定しているが、例えば、給電装置２から給電線Ｌｐを通して供給される直流電力の電圧が予め既知であれば、負荷機器情報取得部１２で取得する負荷機器情報（定格電圧値）のみに基づいて負荷機器３への給電可否を判定しても構わない。
【００４１】
また、負荷機器情報は負荷機器３の定格電圧値に限定されるものではなく、例えば、負荷機器３の定格消費電流値を負荷機器情報として負荷機器情報取得部１２で取得してもよい。同様に、直流電力情報も直流電圧に限定されず、給電装置２から供給可能な最大電流値を直流電力情報として直流電力情報取得部１３で取得してもよい。そして、直流コンセント装置１の制御部１４が、負荷機器３の定格消費電流が最大電流値を超えなければ給電可と判定して開閉部１１を閉成し、負荷機器３の定格消費電流値が最大電流値を超えていれば給電不可と判定して開閉部１１を閉成状態に維持することにより、負荷機器３に対して供給可能な最大電流値を超える電流が供給されることを防止できるものである。尚、この場合においても、給電装置２から給電線Ｌｐを通して供給される直流電力の最大電流値が予め既知であれば、負荷機器情報取得部１２で取得する負荷機器情報（定格消費電流値）のみに基づいて負荷機器３への給電可否を判定しても構わない。
【００４２】
（実施形態２）
本実施形態の直流コンセント装置１のブロック図を図２に示す。但し、本実施形態の直流コンセント装置１は、実施形態１の直流コンセント装置１に対して表示部１５を追加した点以外は共通の構成を有しているので、共通の構成要素については同一の符号を付して説明を省略する。
【００４３】
表示部１５は数値（アラビア数字）が表示可能な表示素子（例えば、７セグメントＬＣＤなど）で構成されている。尚、本実施形態の直流コンセント装置１の負荷機器情報取得部１２は負荷機器３の定格消費電流値を負荷機器情報として取得し、直流電力情報取得部１３は給電装置２から供給可能な最大電流値を直流電力情報として取得する。
【００４４】
差込接続部１０に負荷機器３のプラグが差込接続されると、負荷機器情報取得部１２が負荷機器３の負荷機器情報（定格消費電流値）を取得し、取得した負荷機器情報を制御部１４に渡す。制御部１４は、負荷機器情報取得部１２で取得した負荷機器情報（定格消費電流値）が、直流電力情報取得部１３で取得した直流電力情報（最大電流値）を越えているか否かの判定処理を実行する。定格消費電流値が最大電流値を超えていなければ、制御部１４は開閉部１１を閉成させて給電路Ｌｐと差込接続部１０を接続して負荷機器３に直流電力を供給する（給電する）。一方、定格消費電流値が最大電流値を超えていれば、制御部１４は開閉部１１を閉成状態のまま維持して負荷機器３へ直流電力を供給しない（給電しない）。さらに制御部１４では、最大電流値から定格消費電流値を差し引いた値（電流余裕値）を演算し、演算した電流余裕値を表示部１５に表示させる。例えば、最大電流値が１アンペア、定格消費電流値が４００ミリアンペアとすると、表示部１５には電流余裕値として６００ミリアンペアの数値が表示される。したがって、この直流コンセント装置１からは定格消費電流値が６００ミリアンペア未満の負荷機器３に同時に給電可能であることを使用者に知らせることができる。
【００４５】
一方、例えば最大電流値が１アンペア、定格消費電流値が１．２アンペアとすると、開閉部１１が開成状態に維持されて負荷機器３に給電されず、表示部１５には電流不足値として２００ミリアンペアの数値が表示される。このとき、最大電流値が１．２アンペア以上である給電装置２に交換したり、あるいは最大電流値が２００ミリアンペア以上の別の給電装置を追加することで給電線Ｌｐを通して供給可能な最大電流値を増やした場合、直流電力情報取得部１３で取得する最大電流値も増加するので、制御部１４では、増加した最大電流値が定格消費電流値を超えたと判定し、開閉部１１を閉成して負荷機器３への給電を開始することができる。
【００４６】
（実施形態３）
本実施形態の直流コンセント装置１のブロック図を図３に示す。但し、本実施形態の直流コンセント装置１は、実施形態１の直流コンセント装置１に対してしきい値設定部１６を追加した点以外は共通の構成を有しているので、共通の構成要素については同一の符号を付して説明を省略する。
【００４７】
しきい値設定部１６は、例えば、ディップスイッチによって複数通りのしきい値の中から一つを選択して設定するものである。ここで、しきい値設定部１６で設定するしきい値は、給電線Ｌｐを通して直流コンセント装置１まで供給される直流電力の電圧値と比較されるものであって、当該電圧値がしきい値を下回ったときに制御部１４が開閉部１１を開成して負荷機器３への給電を停止することになる。
【００４８】
すなわち、給電装置２からの距離（配線長）が長くなるにつれて直流コンセント装置１に供給される直流電力の電圧値が低下し、負荷機器３の定格電圧値を下回ってしまうと当該負荷機器３に対して十分な直流電力が供給できなくなるので、直流電力の電圧値が、負荷機器３が動作可能な最低電圧程度に設定したしきい値を下回ったときに制御部１４が開閉部１１を開成して負荷機器３への給電を停止することにより、負荷機器３における不要な電力消費を抑制することができるものである。
【００４９】
（実施形態４）
本発明に係る直流配電システムの実施形態について、図４のシステム構成図を参照して詳細に説明する。但し、本実施形態における直流コンセント装置１の構成は実施形態１の直流コンセント装置１とほぼ共通であるから、共通の構成要素には同一の符号を付して説明を省略する。
【００５０】
本実施形態における給電装置２は、給電線Ｌｐを通して直流電力を供給する給電部２０と、給電線Ｌｐを伝送路にして直流コンセント装置１との間でデータ伝送を行う伝送部２１と、給電部２０並びに伝送部２１を制御する制御部２２とを備えている。給電部２０は、出力電圧が可変であるＡＣ／ＤＣコンバータなどで構成されており、制御部２２に指示された電圧値の直流電力を給電線Ｌｐを通して給電する。伝送部２１は、高周波の搬送波を用いてデータを伝送する伝送信号を給電線Ｌｐに印加される直流電圧に重畳するものである。この技術は、交流電力を供給する電力線において交流電圧に通信信号を重畳させる電力線搬送技術と類似した技術である。制御部２２はマイクロコンピュータを主構成要素とし、伝送部２１を制御して直流コンセント装置１との間でデータ伝送を行うとともに、後述するように直流コンセント装置１から伝送されるデータに基づいて給電部２０を制御するものである。
【００５１】
一方、本実施形態における直流コンセント装置１は、差込接続部１０、開閉部１１、負荷機器情報取得部１２、直流電力情報取得部１３、制御部１４の他に、給電装置２の伝送部２１との間でデータ伝送を行う伝送部１７を備えている。伝送部１７は、給電装置２の伝送部２１と同様に、高周波の搬送波を用いてデータを伝送する伝送信号を給電線Ｌｐに印加される直流電圧に重畳するものである。尚、直流コンセント装置１並びに給電装置２にはそれぞれ固有のアドレスが割り当てられており、当該アドレスを指定することで直流コンセント装置１並びに給電装置２が互いに相手を特定して一対一でデータ伝送することができる。
【００５２】
次に、本実施形態の動作を説明する。まず、直流コンセント装置１の差込接続部１０に負荷機器３のプラグ３０が接続されると、負荷機器情報取得部１２が負荷機器３の負荷機器情報（定格電圧値）を取得し、取得した負荷機器情報を制御部１４に渡す。直流コンセント装置１の制御部１４は、負荷機器情報取得部１２で取得した負荷機器情報（定格電圧値）を通知するための伝送信号を伝送部１７より給電装置２に宛てて伝送（送信）させる。
【００５３】
給電装置２では、給電線Ｌｐを介して直流コンセント装置１から伝送（送信）された伝送信号を伝送部２１で受信すると、制御部２２が負荷機器３の負荷機器情報（定格電圧値）を取得する。給電装置２の制御部２２は、直流コンセント装置１から通知された定格電圧値と給電部２０が給電する直流電力の電圧値が一致するように、例えば、定格電圧値が２４ボルトであれば、出力電圧が２４ボルトとなるように給電部２０を制御する。
【００５４】
給電装置２から供給される直流電力の電圧値の情報は直流コンセント装置１の直流電力情報取得部１３に取得されて制御部１４に渡される。そして、直流コンセント装置１の制御部１４では、直流電力の電圧値と定格電圧値とが一致することを確認したら、開閉部１１を閉成させて給電路Ｌｐと差込接続部１０を接続して負荷機器３に直流電力を給電する。
【００５５】
而して本実施形態の直流配電システムでは、負荷機器３の定格電圧値と一致するように給電装置２が出力電圧を調整しているので、負荷機器３に対して適切な直流電力を供給することが可能である。
【００５６】
（実施形態５）
本発明に係る直流配電システムの別の実施形態について、図５のシステム構成図を参照して詳細に説明する。但し、本実施形態における直流コンセント装置１並びに給電装置２の構成は、何れも実施形態４における直流コンセント装置１並びに給電装置２とほぼ共通であるから、共通の構成要素にはそれぞれ同一の符号を付して説明を省略する。
【００５７】
本実施形態における直流コンセント装置１は、差込接続部１０、開閉部１１、負荷機器情報取得部１２、直流電力情報取得部１３、制御部１４、伝送部１７の他に、優先順位設定部１８を備えている。優先順位設定部１８は、例えば、ディップスイッチによって複数の優先順位の中から一つを選択して設定するものである。ここで、優先順位設定部１８で設定する優先順位は、給電装置２からの指示で負荷機器３への給電を停止する順位を示すものであって、低い優先順位が設定されている直流コンセント装置１から先に負荷機器３への給電を停止していくことになる。
【００５８】
また本実施形態における給電装置２は、図示しない太陽電池で発電される直流電力を給電部２０で所望の電圧レベルに変換し且つ安定化して給電線Ｌｐを通して給電している。
【００５９】
次に、本実施形態の動作を説明する。複数の直流コンセント装置１からそれぞれ負荷機器３に給電されているときに、天候の悪化により太陽電池の発電量が減少して給電装置２の供給電力が全ての負荷機器３の需要電力の合計値を下回った場合、給電装置２の制御部２２は、初めに最も低い優先順位（例えば、優先順位が１位，２位，３位であった場合の３位）を指定して給電を停止するように指示する制御コマンドを含んだ伝送信号を伝送部２１より各直流コンセント装置１へ送信させる。
【００６０】
給電線Ｌｐに接続されている複数の直流コンセント装置１では、給電装置２から給電線Ｌｐを介して伝送される伝送信号を伝送部１７で受信し、当該伝送信号に含まれる制御コマンドを制御部１４が受け取る。制御部１４では、制御コマンドに指定されている優先順位が優先順位設定部１８に設定されている自己の優先順位よりも高ければ当該制御コマンドを破棄して何も行わないが、制御コマンドに指定されている優先順位が自己の優先順位以下であれば開閉部１１を開成して負荷機器３への給電を停止させる。例えば、制御コマンドに指定されている優先順位が「２位」であった場合、自己の優先順位が２位以下、つまり２位又は３位の優先順位が設定されている直流コンセント装置１が開閉部１１を開成して負荷機器３への給電を停止することになる。
【００６１】
このように本実施形態の直流配電システムによれば、需要電力が給電装置２の供給電力を超えた場合に複数の直流コンセント装置１の中から優先順位の低いものの開閉部１１を開成させて負荷機器３への給電を停止させるので、負荷機器３に対して適切な直流電力を供給することが可能となる。但し、本実施形態では直流コンセント装置１で優先順位の設定を行っているが、給電装置２において複数の直流コンセント装置１の優先順位を設定するようにしても構わない。
【符号の説明】
【００６２】
１  直流コンセント装置
１０  差込接続部
１１  開閉部
１２  負荷情報取得部
１４  制御部
Ｌｐ  給電線（配電路）
【図１】
2011114913.tif 000003
【図２】
2011114913.tif 000004
【図３】
2011114913.tif 000005
【図４】
2011114913.tif 000006
【図５】
2011114913.tif 000007